(57)【要約】【課題】虫の侵入を防止して内部回路の地絡や短絡を回避して安全性の向上を図った受変電設備を提供する。【解決手段】筐体２に換気口３ａ、３ｂが形成され、換気口３ａ、３ｂに防虫ネット６ａ、６ｂが取り付けられている。防虫ネット６ａには換気口３ａに固定するフレーム７が設置されている。フレーム７は、磁石８ａ、８ｂにより筐体２に対して着脱自在に設けられている。【選択図】図１
2019134638.tif 000002
【特許請求の範囲】
【請求項１】
筐体に換気口が形成され、前記換気口に防虫ネットが取り付けられた受変電設備。
【請求項２】
前記防虫ネットを前記換気口に固定するフレームが設置された請求項１に記載の受変電設備。
【請求項３】
前記フレームは、磁石又は面ファスナーにより前記筐体に対して着脱自在に設けられた請求項２に記載の受変電設備。
【請求項４】
前記防虫ネットに近接して当該防虫ネットを清掃するブラシ又はローラーが設置された請求項１〜３のいずれかに記載の受変電設備。
【請求項５】
前記換気口を有するダクトが前記筐体から取り外し可能に設けられ、
前記防虫ネットは、前記ダクトと前記筐体との間に着脱自在に設けられた請求項１〜４のいずれかに記載の受変電設備。
【請求項６】
筐体に換気口が形成された受変電設備であって、虫が寄り付き難い光を発する防虫用照明器具が設けられた受変電設備。
【請求項７】
筐体に換気口が形成された受変電設備であって、虫が寄り付き難い音を発する防虫音発生器が設けられた受変電設備。
【請求項８】
筐体に換気口が形成された受変電設備であって、虫が寄り付き難い匂いを発する防虫用芳香剤が設けられた受変電設備。
【発明の詳細な説明】
【技術分野】
【０００１】
本発明の実施形態は、筐体内部への虫の侵入を防ぐ受変電設備に関する。
【背景技術】
【０００２】
受変電設備は、変圧器盤やコンデンサ盤のように、筐体の内部に発熱する機器を収納している。そのため、筐体の前面や上面には、排熱用の換気口が形成されている。換気口を有する受変電設備において、自然換気による換気量が不足していれば、強制換気を行う換気装置が設置される。
【０００３】
換気口としては、例えば高低差を付けて排気口や給気口となる開口部を筐体に設けるが、これらの換気口から受変電設備の筐体内部に昆虫や小動物などが侵入することがある。本明細書では換気口から筐体内部に侵入する昆虫や小動物などを、単に「虫」と総称とすることにする。
【０００４】
換気口から受変電設備の筐体内部に虫が侵入すると、受変電設備に被害や影響を与えることが報告されている。例えば、筐体内部に侵入した虫が主回路に付着すると、内部回路に地絡や短絡が発生し、最悪の場合、火災や感電事故に繋がるおそれがある。特に、配電盤などの受変電設備が、高速道路やトンネルなど、山や森林に囲われた屋外に設置されている場合、換気口から虫が侵入する可能性が高く、主回路への虫の付着が懸念された。
【０００５】
また、屋外に設置される受変電設備では、日射や車両の排ガスによる熱のために、いわゆる熱的トラブルが増加しており、熱換気を確実に行うことが要請されている。従って、受変電設備では換気口の開口面積を増大させる傾向にある。その結果、換気口から虫が侵入する可能性は高まっていた。
【先行技術文献】
【特許文献】
【０００６】
【特許文献１】実開平５−７４２８０号公報
【発明の概要】
【発明が解決しようとする課題】
【０００７】
しかしながら、従来の受変電設備では、換気口から筐体内部への虫の侵入を防ぐ対策はなされていなかった。そこで、受変電設備において、換気口からの虫の侵入を防ぐことが求められていた。
【０００８】
本発明の実施形態は、以上の点を解決するために提案されたものであり、虫の侵入を防止して内部回路の地絡や短絡を回避して安全性の向上を図った受変電設備を提供することを課題とする。
【課題を解決するための手段】
【０００９】
上記の課題を達成するために、本発明の実施形態は、筐体に換気口が形成された受変電設備において、前記換気口に防虫ネットが取り付けられている。
【図面の簡単な説明】
【００１０】
【図１】第１の実施形態の斜視図(扉が閉じた状態)
【図２】第１の実施形態の斜視図(扉が開いた状態)
【図３】第１の実施形態における要部正面図
【図４】第２の実施形態の模式図
【図５】第２の実施形態の一部模式図(ダクトを煙突部に取り付けた状態)
【図６】第２の実施形態の一部模式図(ダクトを煙突部から取り外した状態)
【図７】他の実施形態の模式図
【図８】他の実施形態の要部正面図
【発明を実施するための形態】
【００１１】
（第１の実施形態）
以下、図１〜図３を参照し、第１の実施形態について具体的に説明する。
[構成]
図１及び図２に示すように、第１の実施形態に係る受変電設備１は、変圧器盤やコンデンサ盤など密閉型の自立盤であり、直方体状の筐体２を有している。
【００１２】
筐体２には、正面側に扉４が取り付けられている。扉４の下側半分を占める部分に、換気口３ａが形成されている。換気口３ａは、同一の大きさの横長穴が一定の間隔を持って１０行×７列並んで設けられている。また、筐体２の上面部５の中央部には、横長穴の換気口３ｂが１つ形成されている。
【００１３】
換気口３ａ、３ｂにはそれぞれ、換気口３ａ、３ｂを覆うようにして、筐体２の内側から防虫ネット６ａ、６ｂが取り付けられている。図２に示すように、防虫ネット６ａは、全ての換気口３ａを一括して覆うように正方形状のシート部材から構成されており、扉４の裏面に固定されている。また、扉４の裏面において換気口３ａが形成されている部分には四角い枠状のフレーム７が設置されている。フレーム７は、防虫ネット６ａの周縁部を扉４の裏面に固定するための部材であり、軽量の金属などからなる。
【００１４】
図１及び図２に示すように、防虫ネット６ｂは、換気口３ｂを覆う長方形状のシート部材から構成されており、筐体２の上面部５の中央部裏面に固定されている。図示しないが、筐体２の上面部５の裏面にも防虫ネット６ｂの大きさに対応した枠状のフレームが設置されており、このフレームによって防虫ネット６ｂの周縁部が上面部５の裏面に固定される。
【００１５】
図３に示すように、フレーム７は、四隅及び四辺の中央部が磁石８ａ、８ｂによって扉４の裏側に固定されようになっている。磁石８ａ、８ｂは、扉４の裏側に着脱自在であり、四隅側の磁石８ａはＬ字状、四辺の中央部側の磁石８ｂはバー状である。
【００１６】
[作用及び効果]
以上の構成を有する第１の実施形態では、筐体２に形成された換気口３ａ、３ｂに防虫ネット６ａ、６ｂを取り付けている。これら防虫ネット６ａ、６ｂが換気口３ａ、３ｂを覆うことで、筐体２内部への虫の侵入を阻止することができる。従って、筐体２内部に設置された主回路などに虫が付着することがなく、内部回路にて地絡や短絡が発生することが無い。その結果、地絡や短絡による感電事故などを回避することができ、受変電設備１が高速道路やトンネルなど、山や森林に囲われた屋外に設置されていたとしても、優れた安全性を発揮することが可能である。
【００１７】
また、第１の実施形態では、フレーム７が防虫ネット６ａを換気口３ａに固定するので、防虫ネット６ａが筐体２の扉４から落下することはない。そのため、防虫ネット６ａが換気口３ａからずれることがなく、換気口３ａに開口状態の隙間が生じることがない。従って、虫の侵入を確実に阻止可能な受変電設備１を提供することができる。
【００１８】
さらに、フレーム７は、磁石８ａ、８ｂによって筐体２の扉４に着脱自在なので、防虫ネット６ａが汚れたり、ネットの目が詰まったりした場合に、防虫ネット６ａを容易に交換することができる。そのため、防虫ネット６ａによる虫の侵入を確実に防止することができ、受変電設備１の安全性を長期にわたって維持することが可能である。
【００１９】
また、第１の実施形態では、磁石８ａ、８ｂ及びフレーム７を筐体２に対して着脱させることで防虫ネット６ａ、６ｂの交換が容易である。そのため、防虫ネット６ａ、６ｂが虫やほこりなどによって詰まる心配がない。従って、防虫ネット６ａ、６ｂによる防虫効果を長期にわたり保持することができ、且つ換気口３ａ、３ｂにおける換気機能を維持することが可能である。その結果、受変電設備１は熱換気性能が低下することがなく、確実な熱換気が期待される受変電設備１において信頼性が向上する。
【００２０】
（第２の実施形態）
以下、図４〜図６を参照し、第２の実施形態について具体的に説明する。なお、以下の実施形態において、上記の第１の実施形態と同様の構成要素に関しては同一符号を付して説明は省略する。
【００２１】
[構成]
第２の実施形態に係る受変電設備１０は、第１の実施形態に係る受変電設備１と比べて発熱量が多く、強制換気が必要なものであり、強制換気用の換気扇１４が取り付けられている。図４〜図６に示すように、受変電設備１０には筐体２の上面部５に煙突部１２が設置されており、煙突部１２の内部に換気扇１４が設置されている。
【００２２】
煙突部１２の上部には、煙突部１２よりも径の太い円筒状のダクト１３が設置されている。ダクト１３の側面部には換気口３ｃが形成されている。ダクト１３は、煙突部１２に対して取り外し可能に設けられている。また、煙突部１２の上端部には、煙突部１２の内側に突き出たネット保持部１５が設置されいる。ネット保持部１５の上面側には防虫ネット６ｃが着脱自在に載置されている。
【００２３】
[作用及び効果]
以上のような構成を有する第２の実施形態では、換気扇１４が設置された受変電設備１０において、換気扇１４の上部に位置するダクト１３の内部に、防虫ネット６ｃが取り付けられている。そのため、受変電設備１０が、ダクト１３の換気口３ｃから換気扇１４を抜けて受変電設備１２の筐体２内部に虫が侵入することがない。従って、第２の実施形態では、前記第１の実施形態と同様に、虫の付着による内部回路の地絡や短絡が無く、火災や感電事故を回避することができる。
【００２４】
ところで、第２の実施形態では、防虫ネット６ｃを換気扇１４の上部に取り付けているので、筐体２の内側から、つまり換気扇１４の下側から防虫ネット６を取り外すことは困難である。そこで、第２の実施形態では、ダクト１３を煙突部１２から取り外し可能に設けておき、ダクト１３を煙突部１２から取り外すことで、ネット保持部１５に載置された防虫ネット６ｃを簡単に交換することができる(図６に示す状態)。このため、受変電設備１２では、防虫ネット６ｃを定期的に交換して、防虫ネット６ｃによる虫の侵入阻止を安定して実施することが可能である。
【００２５】
しかも、第２の実施形態では、煙突部１２からダクト１３を取り外した時に、防虫ネット６ｃの交換に加えて、換気扇１４を清掃することも容易である。従って、受変電設備１２では換気扇１４による強制換気機能を確実に維持することができ、受変電設備１２の信頼性がいっそう向上する。
【００２６】
（第３の実施形態）
続いて、図７を参照し、第３の実施形態について具体的に説明する。
[構成]
図７に示すように、第３の実施形態に係る受変電設備１１は、第２の実施形態に係る受変電設備１０とは異なり、換気扇１４が設置されていない。図７に示すように、受変電設備１１は、筐体２の上面部５に煙突部１２が設置されており、煙突部１２の側面部に換気口３ｄが形成されている。煙突部１２には、換気口３ｄの下側には防虫ネット６ｄが設けられている。
【００２７】
防虫ネット６ｄは正方形の枠からなるフレーム９に対して着脱自在に設置されている(図７に図示)。フレーム９はその内周部に防虫ネット６ｄが取り付けられている。フレーム９の一辺部にはフレーム９の把手９ａが設置されている。フレーム９は、煙突部１２に対して水平方向にスライド自在に設置されている。フレーム９は、煙突部１２から抜き差し自在であり、これにより、フレーム９に設置された防虫ネット６ｄが筐体２に対して着脱自在となる。
【００２８】
[作用及び効果]
以上のような第３の実施形態では、上記の実施形態と同様に、防虫ネット６ａ、６ｄを換気口３ａ、３ｄに取り付けたことにより、筐体２内部への虫の侵入を阻止することができる。従って、虫の付着により内部回路に地絡や短絡が発生せず、受変電設備１１は安全性が向上する。
【００２９】
また、第３の実施形態では、作業員がフレーム９の把手９ａを握り、フレーム９を煙突部１２から引き出すだけで、防虫ネット６ｄを筐体２から抜き取ることができる。さらに、作業員がフレーム９の把手９ａを持ち、フレーム９を煙突部１２に差し込むだけで、防虫ネット６ｄを元の位置に戻すことができる。従って、筐体２の上面部５に防虫ネット６ｄが取り付けられていても、この防虫ネット６ｄを筐体２の外部から容易に交換することができ、筐体２内部から防虫ネット６ｄを交換する作業に比べて作業性が向上する。
【００３０】
（他の実施形態）
本発明のいくつかの実施形態とその変形例を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形例は、発明の範囲や要旨に含まれると同様に、特許請求の範囲に記載された発明とその均などの範囲に含まれるものである。
【００３１】
例えば、図８に示す実施形態では、防虫ネット６ａに近接して、防虫ネット６ａを清掃するブラシ１５が設置されている。ブラシ１５は、長さ寸法が防虫ネット６ａの幅寸法と同程度のものである。防虫ネット６ａを清掃する用具としては、ブラシ１５に限らず、粘着性のテープを巻き付けたローラーなどでもよい。
【００３２】
このような実施形態では、作業員がブラシ１５を用いて、防虫ネット６ａに軽微な汚れや詰まりなど掃除することができる。これにより、定期点検時に防虫ネット６ａを確実に掃除することができ、防虫ネット６ａの長寿命化を図ることが可能である。
【００３３】
また、第１の実施形態において、フレーム７を扉４に取り付ける部材としては、フレーム７及び防虫ネット６ａが扉４から落下したり、ずれたりしないものであれば、磁石８ａ、８ｂに限らず、フレーム７側及び扉４側に向かい合って取り付けた面ファスナーであっても良い。さらに、防虫ネット６ａ〜６ｄは、虫の筐体２内部への侵入を阻止し、且つ換気口３ａ〜３ｄの熱換気を阻害しないものであれば、その材質や網目の細かさなどは適宜選択可能である。
【００３４】
また、本実施形態には、筐体に換気口が形成された受変電設備において、虫が寄り付き難い光を発する防虫用照明器具が設けられた受変電設備や、虫が寄り付き難い音を発する防虫音発生器が設けられた受変電設備、さらには虫が寄り付き難い匂いを発する防虫用芳香剤が設けられた受変電設備も包含される。これらの実施形態によれば、換気口に虫が寄り付き難くなり、防虫効果を発揮することができる。
【００３５】
防虫用照明器具としては、例えば、虫が好む紫外線をカットした低誘虫照明器具などがある。また、受変電設備から見て防虫用照明器具の外側に、虫を誘引係留させる照明器具を設置することで、筐体への虫の侵入を、より効果的に阻止するようにしてもよい。なお、防虫用照明器具や防虫音発生器、防虫用芳香剤の設置位置は、虫が寄り付き難い光、音あるいは匂いが、換気口付近に届くのであれば、自由に選択可能である。
【符号の説明】
【００３６】
１、１０、１１…受変電設備
２…筐体
３ａ、３ｂ、３ｃ、３ｄ…換気口
４…扉
５…上面部
６ａ、６ｂ、６ｃ、６ｄ…防虫ネット
７、９…フレーム
８ａ、８ｂ…磁石
１２…煙突部
１３…ダクト
１４…換気扇
１５…ブラシ
【図１】
2019134638.tif 000003
【図２】
2019134638.tif 000004
【図３】
2019134638.tif 000005
【図４】
2019134638.tif 000006
【図５】
2019134638.tif 000007
【図６】
2019134638.tif 000008
【図７】
2019134638.tif 000009
【図８】
2019134638.tif 000010